(57)【要約】【課題】発光素子のショートを確実に検出可能なＬＥＤの駆動回路を提供する。【解決手段】ＬＥＤ端子Ｐ３は発光ユニット４ごとに設けられ、それぞれが対応する発光ユニット４の一端と接続される。電流源３０は、ＬＥＤ端子Ｐ３ごとに設けられ、それぞれが対応するＬＥＤ端子Ｐ３を介して対応する発光ユニット４に調節可能な駆動電流ＩＬＥＤを供給する。ショート検出回路７０は、検査対象の発光ユニット４に対応する電流源３０が、当該発光ユニット４に第１の検査電流ＩＴＥＳＴ１を供給した状態において、対応するＬＥＤ端子Ｐ３に発生する第１検出電圧ＶＤＥＴ１と、当該発光ユニット４に第２の検査電流ＩＴＥＳＴ２を供給した状態において、対応するＬＥＤ端子Ｐ３に発生する第２検出電圧ＶＤＥＴ２と、の差分ΔＶにもとづいて、その発光ユニット４のショートを検出する。【選択図】図２
2011181378.tif 000002
【特許請求の範囲】
【請求項１】
少なくともひとつの発光ユニットそれぞれに駆動電流を供給する駆動回路であって、
前記少なくともひとつの発光ユニットごとに設けられ、それぞれが対応する前記発光ユニットの一端と接続されるべき、少なくともひとつの駆動端子と、
前記少なくともひとつの駆動端子ごとに設けられ、それぞれが対応する前記駆動端子を介して対応する前記発光ユニットに調節可能な前記駆動電流を供給する、少なくともひとつの電流源と、
検査対象の発光ユニットに対応する電流源が、当該発光ユニットに第１の検査電流を供給した状態において、対応する前記駆動端子に発生する第１検出電圧と、当該発光ユニットに前記第１の検査電流とは異なる電流値の第２の検査電流を供給した状態において、対応する前記駆動端子に発生する第２検出電圧と、の差分にもとづいて、その発光ユニットのショートを検出するショート検出回路と、
を備えることを特徴とする駆動回路。
【請求項２】
前記ショート検出回路は、前記差分が所定のしきい値より小さいとき、ショート状態と判定することを特徴とする請求項１に記載の駆動回路。
【請求項３】
前記ショート検出回路は、
前記駆動端子に発生する第１、第２検出電圧を、デジタルの第１データ、第２データに変換するＡ／Ｄコンバータと、
前記第１データと前記第２データの差分を所定のしきい値と比較するロジック部と、
を含むことを特徴とする請求項１または２に記載の駆動回路。
【請求項４】
少なくともひとつの発光ユニットと、
前記少なくともひとつの発光ユニットそれぞれに駆動電流を供給する請求項１から３のいずれかに記載の駆動回路と、
を備えることを特徴とする発光装置。
【請求項５】
液晶パネルと、
前記液晶パネルの背面に、その発光ユニットがバックライトとして設けられている請求項４に記載の発光装置と、
を備えることを特徴とするディスプレイ装置。
【発明の詳細な説明】
【技術分野】
【０００１】
本発明は、発光素子の駆動回路に関する。
【背景技術】
【０００２】
液晶パネルのバックライトや携帯電話端末の着信表示のための光源、あるいは蛍光灯に変わる照明機器として、発光ダイオード（ＬＥＤ）が利用される。ＬＥＤを所望の輝度で発光させるためには、駆動回路によって、ＤＣ／ＤＣコンバータを制御してＬＥＤに十分な駆動電圧を供給するとともに、ＬＥＤに対して輝度に応じた駆動電流を供給する必要がある。
【０００３】
特許文献１には、ＬＥＤを高効率にて駆動するための回路が開示されている。特許文献１の技術では、ＤＣ／ＤＣコンバータの出力端子と固定電圧端子の間に、発光ユニット（ＬＥＤストリング）と定電流源とを直列に接続する。この定電流源の電流を調整することができる可変電流型とし、また、ＤＣ／ＤＣコンバータは、所定の基準電圧Ｖｒｅｆと、定電流源の降下電圧である検出電圧Ｖｄｅｔとが等しくなるように、その出力電圧を制御する。
【先行技術文献】
【特許文献】
【０００４】
【特許文献１】特許第３７５５７７０号公報
【特許文献２】特開２００７−１８８６９２号公報
【特許文献３】特開２００７−１５７４２３号公報
【発明の概要】
【発明が解決しようとする課題】
【０００５】
ＬＥＤ駆動回路には、発光ユニットを構成するＬＥＤのショートを検出する機能が設けられる（特許文献２、３）。図１は、ＬＥＤのショート検出回路を示す回路図である。ショート検出回路２７０は、発光ユニット４ａ〜４ｃごとに設けられた複数のコンパレータＣＭＰａ〜ＣＭＰｃおよびＯＲゲート２７２を備える。ＯＲゲート２７２は、複数のコンパレータＣＭＰａ〜ＣＭＰｃの論理和を出力する。
【０００６】
発光ユニット４のアノード側に駆動電圧Ｖｏｕｔが印加されるとき、ＬＥＤ端子Ｐ３ａ〜Ｐ３ｃには、
ＶＬＥＤ＝Ｖｏｕｔ−Ｖｆ×ｎ
なる電圧が発生する。ＶｆはＬＥＤの順方向電圧、ｎは発光ユニット４に含まれる有効なＬＥＤの個数である。ＬＥＤがショートすると、個数ｎが変化し、ＬＥＤ端子Ｐ３の電位ＶＬＥＤが変化する。図１には、発光ユニット４ａの３番目のＬＥＤがショートした状態が示される。
【０００７】
そこでコンパレータＣＭＰは、対応するＬＥＤ端子Ｐ３の電位ＶＬＥＤを所定のしきい値電圧Ｖｓｈｒｔと比較し、ＶＬＥＤ＞Ｖｓｈｒｔのときに、ショート状態が検出される。
【０００８】
Ｖｓｈｒｔ＝３Ｖ、Ｖｏｕｔ＝１６Ｖ、Ｖｆ＝３Ｖとすると、すべてのＬＥＤが正常なとき、ＬＥＤ端子Ｐ３の電位は、
ＶＬＥＤ＝１６−３×５＝１Ｖ
となり、Ｖｓｈｒｔ＝３Ｖより低いため正常と判定される。もし、ひとつのＬＥＤがショートすると、
ＶＬＥＤ＝１６−３×４＝４Ｖ
となり、ＶＬＥＤ＞Ｖｓｈｒｔとなるため、ショート検出される。
【０００９】
この検出回路は、各ＬＥＤの順方向電圧Ｖｆのばらつきが小さいときには有効である。ところが、ばらつきによって順方向電圧Ｖｆが小さくなると、ショートを誤検出するおそれがある。たとえばＶｆ＝２．５Ｖのとき、すべてのＬＥＤが正常であるとすると、
ＶＬＥＤ＝１６−２．５×５＝３．５Ｖ
となり、ＶＬＥＤ＞Ｖｓｈｒｔとなるため、ショートが誤検出される。
【００１０】
反対に順方向電圧Ｖｆが大きくなると、ショートであるにもかかわらず正常と判定される場合がある。たとえばＶｆ＝３．５Ｖで、ひとつのＬＥＤがショートしているとき、
ＶＬＥＤ＝１６−３．５×４＝２Ｖ
であるから、ＶＬＥＤ＜Ｖｓｈｒｔとなり、正常判定されてしまう。
【００１１】
本発明は係る状況においてなされたものであり、そのある態様の例示的な目的のひとつは、発光素子のショートを確実に検出可能なＬＥＤの駆動回路の提供にある。
【課題を解決するための手段】
【００１２】
本発明のある態様は、少なくともひとつの発光ユニットそれぞれに駆動電流を供給する駆動回路に関する。この駆動回路は、少なくともひとつの発光ユニットごとに設けられ、それぞれが対応する発光ユニットの一端と接続されるべき、少なくともひとつの駆動端子と、少なくともひとつの駆動端子ごとに設けられ、それぞれが対応する駆動端子を介して対応する発光ユニットに調節可能な駆動電流を供給する、少なくともひとつの電流源と、検査対象の発光ユニットに対応する電流源が、当該発光ユニットに第１の検査電流を供給した状態において、対応する駆動端子に発生する第１検出電圧と、当該発光ユニットに第１の検査電流とは異なる電流値の第２の検査電流を供給した状態において、対応する駆動端子に発生する第２検出電圧と、の差分にもとづいて、その発光ユニットのショートを検出するショート検出回路と、を備える。
【００１３】
この態様によれば、第１電圧と第２電圧の差分が順方向電圧のばらつきの影響を受けないように第１検査電流と第２検査電流の電流値を決めることにより、発光素子のショートを確実に検出することができる。
【００１４】
ショート検出回路は、差分が所定のしきい値より小さいとき、ショート状態と判定してもよい。
【００１５】
ショート検出回路は、駆動端子に発生する第１、第２電圧を、デジタルの第１データ、第２データに変換するＡ／Ｄコンバータと、第１データと第２データの差分を所定のしきい値と比較するロジック部と、を含んでもよい。
【００１６】
本発明の別の態様は、発光装置である。この装置は、少なくともひとつの発光ユニットと、少なくともひとつの発光ユニットそれぞれに駆動電流を供給する上述の駆動回路と、を備える。
【００１７】
本発明のさらに別の態様は、ディスプレイ装置である。この装置は、液晶パネルと、液晶パネルの背面に、その発光ユニットがバックライトとして設けられている上述の発光装置と、を備える。
【００１８】
なお、以上の構成要素を任意に組み合わせたもの、あるいは本発明の表現を、方法、装置などの間で変換したものもまた、本発明の態様として有効である。
【発明の効果】
【００１９】
本発明のある態様によれば、発光素子のショートを確実に検出できる。
【図面の簡単な説明】
【００２０】
【図１】ＬＥＤのショート検出回路を示す回路図である。
【図２】実施の形態に係る駆動ＩＣを備えるディスプレイ装置の構成を示す回路図である。
【図３】図２のショート検出回路の動作原理を説明するための図である。
【発明を実施するための形態】
【００２１】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２２】
本明細書において、「部材Ａが、部材Ｂと接続された状態」とは、部材Ａと部材Ｂが物理的に直接的に接続される場合のほか、部材Ａと部材Ｂが、電気的な接続状態に影響を及ぼさない他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００２３】
図２は、実施の形態に係る駆動ＩＣ１０２を備えるディスプレイ装置１の構成を示す回路図である。ディスプレイ装置１は、バックライトとして設けられた発光装置２と、液晶パネル３を備える。
【００２４】
発光装置２は、複数の発光ユニット４ａ〜４ｃと、ＤＣ／ＤＣコンバータ１０４と、駆動ＩＣ１０２と、を備える。発光ユニット４ａ〜４ｃはそれぞれ、ひとつのＬＥＤ、または直列に接続された複数のＬＥＤを含むＬＥＤストリングである。図１では、３つの発光ユニット４が示されるが、発光ユニット４の個数は任意であり、少なくともひとつ設けられていればよい。発光ユニット４ａ〜４ｃは、液晶パネル３の背面にバックライトとして設けられる。
【００２５】
ＤＣ／ＤＣコンバータ１０４は、入力電圧Ｖｉｎを昇圧し、発光ユニット４ａ〜４ｃの共通に接続された一端（第１端子）に駆動電圧Ｖｏｕｔを供給する。ＤＣ／ＤＣコンバータ１０４は、インダクタＬ１、ダイオードＤ１、キャパシタＣ１を備える。ＤＣ／ＤＣコンバータ１０４のトポロジーは一般的なものであるため、説明を省略する。
【００２６】
駆動ＩＣ１０２は、発光ユニット４ａ〜４ｃそれぞれに、駆動電流ＩＬＥＤａ〜ＩＬＥＤｃを供給するとともに、ＤＣ／ＤＣコンバータ１０４を制御して駆動電圧Ｖｏｕｔを調節する機能ＩＣであり、ひとつの半導体チップに集積化されている。以下、駆動ＩＣ１０２の構成を説明する。
【００２７】
駆動ＩＣ１０２は、複数の駆動端子（以下、ＬＥＤ端子）Ｐ３ａ〜Ｐ３ｃと、複数の電流源３０ａ〜３０ｃと、制御回路４０と、ショート検出回路７０と、を備える。
【００２８】
ＬＥＤ端子Ｐ３ａ〜Ｐ３ｃは、発光ユニット４ａ〜４ｃごとに設けられる。ＬＥＤ端子Ｐ３ａ〜Ｐ３ｃはそれぞれ、対応する発光ユニット４の第２端子と接続される。電流源３０ａ〜３０ｃは、ＬＥＤ端子Ｐ３ａ〜Ｐ３ｃごとに設けられ、それぞれが対応するＬＥＤ端子Ｐ３ａ〜Ｐ３ｃを介して対応する発光ユニット４ａ〜４ｃに、調節可能な駆動電流ＩＬＥＤａ〜ＩＬＥＤｃを供給する。
【００２９】
制御回路４０は、ＬＥＤ端子Ｐ３ａ〜Ｐ３ｃそれぞれの電圧ＶＬＥＤａ〜ＶＬＥＤｃのうち最も低い電圧が、基準電圧Ｖｘと一致するように、ＤＣ／ＤＣコンバータ１０４を制御する。制御回路４０は、誤差増幅器４２、オシレータ４４、ＰＷＭコンパレータ４６、ドライバ４８、スイッチングトランジスタ５０を備える。
【００３０】
スイッチングトランジスタ５０は、ＤＣ／ＤＣコンバータ１０４のインダクタＬ１の経路上に設けられる。誤差増幅器４２、オシレータ４４、ＰＷＭコンパレータ４６は、いわゆるパルス幅変調器を構成する。誤差増幅器４２は、電圧ＶＬＥＤａ〜ＶＬＥＤｃのうち最も低い電圧と、基準電圧Ｖｘの誤差に応じた誤差電圧Ｖｅｒｒを生成する。オシレータ４４は、三角波もしくはのこぎり波の周期信号Ｖｏｓｃを発生する。ＰＷＭコンパレータ４６は、誤差電圧Ｖｅｒｒと周期信号Ｖｏｓｃを比較し、パルス幅変調されたパルス信号Ｓｐｗｍを生成する。ドライバ４８はパルス信号Ｓｐｗｍにもとづいてスイッチングトランジスタ５０をスイッチングする。なお制御回路４０の構成は図２のそれには限定されず、その他の形式で構成されてもよい。
【００３１】
この駆動ＩＣ１０２は、所定のタイミングで検査モードに移行し、駆動対象の発光ユニット４ａ〜４ｃがショートしていないかどうかを検出する。所定のタイミングは、たとえば駆動ＩＣ１０２の起動タイミングである。
【００３２】
ショート検出回路７０は、駆動ＩＣ１０２が駆動対象とする発光ユニット４ａ〜４ｃのショートを検出するために設けられる。ショート検出回路７０は、検査対象の発光ユニット４に対応する電流源３０が、当該発光ユニット４に第１の検査電流ＩＴＥＳＴ１を供給した状態において、対応するＬＥＤ端子Ｐ３に発生する第１検出電圧ＶＤＥＴ１と、当該発光ユニット４に第１検査電流ＩＴＥＳＴ１とは異なる電流値の第２の検査電流ＩＴＥＳＴ２を供給した状態において、対応するＬＥＤ端子Ｐ３に発生する第２検出電圧ＶＤＥＴ２と、の差分ΔＶ（＝Ｖ１−Ｖ２）にもとづいて、その発光ユニット４のショートを検出する。好ましくはショート検出回路７０は、差分ΔＶが所定のしきい値より小さいとき、検査対象の発光ユニット４がショート状態であると判定する。
【００３３】
具体的にはショート検出回路７０は、Ａ／Ｄコンバータ７２と、ロジック部７４と、を備える。Ａ／Ｄコンバータ７２は、対応するＬＥＤ端子Ｐ３に発生する第１検出電圧ＶＤＥＴ１、第２検出電圧ＶＤＥＴ２を受け、それらをデジタル値の第１データＤＤＥＴ１と第２データＤＤＥＴ２に変換する。ロジック部７４は、第１データＤＤＥＴ１と第２データＤＤＥＴ２の差分を所定のしきい値と比較し、ショートの有無を示す検出信号Ｓ４を生成する。またロジック部７４は、電流源３０ａ〜３０ｃが発生すべき駆動電流ＩＬＥＤや、検査電流ＩＴＥＳＴを制御する。
【００３４】
以上が駆動ＩＣ１０２の構成である。続いてその動作を説明する。
図３は、図２のショート検出回路７０の動作原理を説明するための図である。図３には発光ユニット４の電流電圧特性が示されており、横軸は駆動電流（検査電流）を、縦軸は発光ユニット４全体の電圧降下ＶＦを示す。
【００３５】
単一のＬＥＤの電流電圧特性は、
Ｉｆ＝Ｉｓ×ｅｘｐ（Ｖｆ／ＶＴ−１）  …（１）
で与えられる。ＶＴは（ｋＴ／ｑ）で与えられる熱電圧である。ｋはボルツマン定数、Ｔは絶対温度、ｑは素電荷量である。
【００３６】
式（１）を変形すると、
Ｖｆ＝ＶＴ・ｌｎ（Ｉｆ／Ｉｓ）  …（２）
を得る。
【００３７】
検査モードにおいてショート検出回路７０は、検査対象の発光ユニット４に対して第１検査電流ＩＴＥＳＴ１が供給されるように電流源３０を制御する。ＬＥＤに検査電流ＩＴＥＳＴ１が流れているときのｉ番目のＬＥＤの電圧降下Ｖｆ１ｉは、
Ｖｆ１ｉ＝ＶＴ・ｌｎ（ＩＴＥＳＴ１／Ｉｓｉ）    …（２ａ）
で与えられる。続いてショート検出回路７０は、検査対象の発光ユニット４に対して第２検査電流ＩＴＥＳＴ２が供給されるように電流源３０を制御する。ｉ番目のＬＥＤに検査電流ＩＴＥＳＴ２が流れているときのＬＥＤの電圧降下Ｖｆ２ｉは、
Ｖｆ２ｉ＝ＶＴ・ｌｎ（ＩＴＥＳＴ２／Ｉｓｉ）    …（２ｂ）
となる。
【００３８】
検査電流ＩＴＥＳＴ１、ＩＴＥＳＴ２それぞれが流れるときの発光ユニット４全体の電圧降下ＶＦは、ショートされていない有効なＬＥＤの電圧降下の総和であるから、
ＶＦ１＝Σｉ＝１：Ｍ・Ｖｆ１ｉ    …（３ａ）
ＶＦ２＝Σｉ＝１：Ｍ・Ｖｆ２ｉ    …（３ｂ）
となる。ここでＭは、ショートされていないＬＥＤの個数である。
【００３９】
各ＬＥＤの電圧降下Ｖｆｉのばらつきは、逆方向飽和電流Ｉｓｉのばらつきに起因して発生する。よってＬＥＤ端子Ｐ３に発生する検出電圧ＶＤＥＴ１、ＶＤＥＴ２はそれぞれ、
ＶＤＥＴ１＝Ｖｏｕｔ−ＶＦ１
＝Ｖｏｕｔ−Σｉ＝１：Ｍ・Ｖｆ１ｉ
＝Ｖｏｕｔ−Σｉ＝１：Ｍ・｛ＶＴ・ｌｎ（ＩＴＥＳＴ１／Ｉｓｉ）｝…（４ａ）
ＶＤＥＴ２＝Ｖｏｕｔ−ＶＦ２
＝Ｖｏｕｔ−Σｉ＝１：Ｍ・Ｖｆ２ｉ
＝Ｖｏｕｔ−Σｉ＝１：Ｍ・｛ＶＴ・ｌｎ（ＩＴＥＳＴ２／Ｉｓｉ）｝…（４ｂ）
となる。
【００４０】
したがって、異なる検査電流ＩＴＥＳＴを流したときの第１検出電圧ＶＤＥＴ１と第２検出電圧ＶＤＥＴ２の差分電圧ΔＶは、
ΔＶ＝ＶＤＥＴ１−ＶＤＥＴ２＝ＶＦ２−ＶＦ１
＝Σｉ＝１：Ｍ・｛ＶＴ・ｌｎ（ＩＴＥＳＴ２／Ｉｓｉ）｝−Σｉ＝１：Ｍ・｛ＶＴ・ｌｎ（ＩＴＥＳＴ１／Ｉｓｉ）｝
＝ＶＴ・Σｉ＝１：Ｍ｛ｌｎ（ＩＴＥＳＴ２／ＩＴＥＳＴ１）｝    …（５）
で与えられる。逆方向飽和電流ＩＳｉが同様にばらつく場合には、
ΔＶ＝Ｍ×ＶＴ・ｌｎ（ＩＴＥＳＴ２／ＩＴＥＳＴ１）    …（５ａ）
が成り立ち、電位差ΔＶは、有効なＬＥＤの個数Ｍに実質的に比例することがわかる。
【００４１】
したがって図２のショート検出回路７０によれば、第１検出電圧ＶＤＥＴ１と第２検出電圧ＶＤＥＴ２の差分電圧ΔＶにもとづいて、発光ユニット４にショートが発生しているか否かを検出することができる。
【００４２】
この検出方法によれば、検査電流ＩＴＥＳＴ１、ＩＴＥＳＴ２の電流値を適切に設定することにより、差分電圧ΔＶがＬＥＤの製造ばらつきの影響を受けにくくなるため、確実なショート検出が実現できる。
【００４３】
また図１の構成では、検査モードにおいて、駆動電圧Ｖｏｕｔが変動するとＬＥＤ端子の電位が変動するため、駆動電圧Ｖｏｕｔが所定値に安定化される必要があるが、図２の駆動ＩＣ１０２によれば、駆動電圧Ｖｏｕｔの変動は、検出結果に影響を及ぼさないという利点がある。
【００４４】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００４５】
実施の形態では、第１検出電圧ＶＤＥＴ１と第２検出電圧ＶＤＥＴ２の差分電圧ΔＶを所定のしきい値（絶対的な基準値）と比較することにより、発光ユニット４のショートの有無を検出したが、本発明はそれに限定されない。図２のように複数チャンネルの発光ユニット４が設けられる場合には、検査対象のチャンネルの差分電圧ΔＶを、その他のチャンネルの差分電圧ΔＶと比較することにより、相対的な比較によって、ショートの有無を検出してもよい。複数チャンネルの発光ユニット４に同時にショートが発生することはまれであるため、アプリケーションによっては相対比較で十分な場合もあろう。
【００４６】
図２においてＡ／Ｄコンバータ７２やロジック部７４は、駆動ＩＣ１０２の内部に設けられる場合を説明したが、これらの少なくとも一方を駆動ＩＣ１０２の外部に設けてもよい。たとえばロジック部７４の機能は、ディスプレイ装置１もしくは発光装置２を統括的に制御するＣＰＵによって実現してもよい。
【００４７】
図２では、ＬＥＤ端子Ｐ３ａ〜Ｐ３ｃごとにＡ／Ｄコンバータ７２が設けられているが、ひとつのＡ／Ｄコンバータ７２を複数のＬＥＤ端子Ｐ３ａ〜Ｐ３ｃで共有してもよい。
【００４８】
また、Ａ／Ｄコンバータ７２を用いずに、アナログ信号処理によって、図２のショート検出回路７０の機能を実現することも可能であり、そうした変形例も本発明の範囲に含まれる。
【００４９】
実施の形態では、ディスプレイ装置１の発光ユニット４を駆動する駆動ＩＣ１０２を説明したが、本発明の用途はそれに限定されない。たとえば本発明は、ＬＥＤを用いた照明（発光装置）にも利用できる。
【００５０】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００５１】
１…ディスプレイ装置、２…発光装置、３…液晶パネル、４…発光ユニット、Ｐ３…ＬＥＤ端子、３０…電流源、４０…制御回路、４２…誤差増幅器、４４…オシレータ、４６…ＰＷＭコンパレータ、４８…ドライバ、５０…スイッチングトランジスタ、７０…ショート検出回路、７２…Ａ／Ｄコンバータ、７４…ロジック部、１０２…駆動ＩＣ、１０４…ＤＣ／ＤＣコンバータ。
【図１】
2011181378.tif 000003
【図２】
2011181378.tif 000004
【図３】
2011181378.tif 000005